(57)【要約】【課題】杭圧入機のマスト又は杭チャック装置の回転をロックする回転ロック装置のコンパクト化を図る。【解決手段】杭圧入機１００の回転するマスト１０２又は杭チャック装置１０４である回転部の当該回転をロックする回転ロック装置１０７は、回転部及び当該回転部を回転支持する支持部１０１，１０３の一方に固定され回転軸１０５，１０６に同軸に配置されたフランジ状のプレート２と、他方に固定された筐体１０及び油圧によりプレートを押圧するピストンを持ち、プレートを把持する把持装置１とを備える。筐体には、プレートを受け入れる径方向に抉り込まれた溝部１１と、溝部の側面１１ａ，１１ｂに開口しピストンが当該開口から突出して回転軸に平行な方向に進退可能に挿入される円柱状中空部１２とが形成される。把持装置は、円柱状中空部に内接するピストンに円柱状中空部の断面積分の油圧を負荷可能である。【選択図】図３
2015105498.tif 000002
【特許請求の範囲】
【請求項１】
杭圧入機の回転するマスト又は杭チャック装置である回転部の当該回転をロックする回転ロック装置であって、
前記回転部及び当該回転部を回転支持する支持部の一方に固定され前記回転の軸に同軸に配置されたフランジ状のプレートと、
前記回転部及び当該回転部を回転支持する支持部の他方に固定された筐体及び油圧により前記プレートを押圧するピストンを持ち、前記プレートを把持する把持装置と、を備え、
前記筐体には、前記プレートを受け入れる前記回転の径方向に抉り込まれた溝部と、前記溝部の側面に開口し前記ピストンが当該開口から突出して前記回転の軸に平行な方向に進退可能に挿入される円柱状中空部とが形成され、
前記把持装置は、前記円柱状中空部に内接する前記ピストンに前記円柱状中空部の断面積分の油圧を負荷可能に構成されたことを特徴とする杭圧入機の回転ロック装置。
【発明の詳細な説明】
【技術分野】
【０００１】
本発明は、杭圧入機の回転ロック装置に関する。
【背景技術】
【０００２】
従来、杭圧入機において、特にオーガー併用工法を用いた場合、オーガー装置の回転トルクの反作用力が圧入機本体に加わり、チャック回転部及びマスト旋廻部がその反作用力で回転移動して施工姿勢が悪くなるという問題があった。
これを解決する手段として、特許文献１に記載の発明にあっては、それぞれの回転部の回転を規制する回転ロック装置が装備されている。
この回転ロック装置は、マスト等に設けた中空部に油圧シリンダーが収められて構成される。
【先行技術文献】
【特許文献】
【０００３】
【特許文献１】特開２００５−１２７０５４号公報
【発明の概要】
【発明が解決しようとする課題】
【０００４】
しかしながら、回転ロックのために必要な力から計算される油圧シリンダーの内径より、油圧シリンダーが収められる中空部の径が大きくなるから、コンパクト化に限界があるという問題がある。
【０００５】
本発明は以上の従来技術における問題に鑑みてなされたものであって、杭圧入機の回転ロック装置のコンパクト化を図ることを課題とする。
【課題を解決するための手段】
【０００６】
以上の課題を解決するための請求項１記載の発明は、杭圧入機の回転するマスト又は杭チャック装置である回転部の当該回転をロックする回転ロック装置であって、
前記回転部及び当該回転部を回転支持する支持部の一方に固定され前記回転の軸に同軸に配置されたフランジ状のプレートと、
前記回転部及び当該回転部を回転支持する支持部の他方に固定された筐体及び油圧により前記プレートを押圧するピストンを持ち、前記プレートを把持する把持装置と、を備え、
前記筐体には、前記プレートを受け入れる前記回転の径方向に抉り込まれた溝部と、前記溝部の側面に開口し前記ピストンが当該開口から突出して前記回転の軸に平行な方向に進退可能に挿入される円柱状中空部とが形成され、
前記把持装置は、前記円柱状中空部に内接する前記ピストンに前記円柱状中空部の断面積分の油圧を負荷可能に構成されたことを特徴とする杭圧入機の回転ロック装置である。
【発明の効果】
【０００７】
本発明によれば、回転部の回転のロックのために把持されるプレートを受け入れる溝部と、ピストンを収める円柱状中空部とが一つの筐体に形成され、この筐体にピストンを組み込めば油圧シリンダーを構成することができるとともに、ピストンには円柱状中空部の断面積分の油圧を負荷可能であるので、回転ロックのために必要な力から計算される油圧シリンダーの内径は、円柱状中空部の内径と等しくなり、杭圧入機の回転ロック装置のコンパクト化を図ることができる。
【図面の簡単な説明】
【０００８】
【図１】本発明の一実施形態に係る杭圧入機の側面図(a)及び正面図(b)である。
【図２】本発明の一実施形態に係る回転ロック装置の正面図である。
【図３】本発明の一実施形態に係る回転ロック装置を構成する把持装置の側面透視図(a)及び正面視部分断面図(b)である。
【図４】図３中のピストン及びヘッドブロックを抜き出して離して描いた図である。
【図５】図３(b)に示される構成に対し、上方のみにピストンを配置した形態の一例を示す。
【発明を実施するための形態】
【０００９】
以下に本発明の一実施形態につき図面を参照して説明する。以下は本発明の一実施形態であって本発明を限定するものではない。
【００１０】
図１に示す杭圧入引抜機１００に、本実施形態の回転ロック装置１０７が搭載されている。杭圧入引抜機１００は、作業を行うためにスライドベース１０１に対しマスト１０２が回転動作でき、マスト１０２に支持された昇降部１０３に対し杭チャック装置１０４が回転動作できる。杭チャック装置１０４は、圧入する杭を掴むためのものである。マスト１０２の回転軸１０５及び杭チャック装置１０４の回転軸１０６は垂直方向であり、それぞれ水平回転する。
マスト１０２は回転部に相当し、スライドベース１０１は当該回転部を回転支持する支持部に相当する。杭チャック装置１０４は回転部に相当し、昇降部１０３は当該回転部を回転支持する支持部に相当する。
このマスト１０２や杭チャック装置１０４の回転をロックするために回転ロック装置が適用される。その構造は同様であるため、杭チャック装置１０４の回転をロックする回転ロック装置１０７を例に説明する。
【００１１】
図２に示すように回転ロック装置１０７は、把持装置１と、ロックプレート２とを備える。
ロックプレート２は、回転部である杭チャック装置１０４に固定され、回転軸１０６と同軸に配置されたフランジ状の部材である。すなわち、杭チャック装置１０４の回転とともにロックプレート２が回転軸１０６回りに一体回転する。
把持装置１は、支持部である昇降部１０３に固定されている。図２に示すように把持装置１には回転軸１０６の径方向に抉り込まれた溝部１１が形成されており、溝部１１にロックプレート２を受け入れる。
【００１２】
図３に示すように把持装置１は、筐体１０と、ピストン２０と、ヘッドブロック３０とを有する。
筐体１０に、上述した溝部１１が形成されており、さらに円柱状中空部１２，１２が形成されている。また、把持装置１は、筐体１０に形成された固定フランジ部１３，１３で締結されて昇降部１０３に固定される。
溝部１１の上方の円柱状中空部１２は、溝部１１の上側の側面１１ａに開口して形成されている。溝部１１の下方の円柱状中空部１２は、溝部１１の下側の側面１１ｂに開口して形成されている。この開口を内側開口と呼ぶ。
【００１３】
円柱状中空部１２に挿入されたピストン２０が内側開口から溝部１１内に突出して回転軸１０６に平行な方向に進退可能にされる。したがって、円柱状中空部１２、１２の軸は回転軸１０６に平行である。円柱状中空部１２、１２は側面１１ａ，１１ｂの反対側にも開口している。この開口を外側開口と呼ぶ。この外側開口からピストン２０は円柱状中空部１２に挿入される。ピストン２０の溝部１１内に突出する量が所定量で規制されるように、円柱状中空部１２及びピストン２０は突出側で小径の段付きで構成されている。組立時にはピストン２０が円柱状中空部１２挿入された後、外側開口にヘッドブロック３０が嵌合固定される。
【００１４】
ヘッドブロック３０に構成された圧油路を介して把持装置１は杭圧入引抜機１００の油圧制御システムに接続される。円柱状中空部１２とピストン２０とヘッドブロック３０とに囲まれた空間に圧油が送り込まれ、円柱状中空部１２に内接するピストン２０に円柱状中空部１２の断面積分の油圧を負荷可能である。この油圧によりピストン２０は突出動作してロックプレート２を押圧し、上下のピストン２０，２０によりロックプレート２を把持する。
【００１５】
以上の本実施形態の杭圧入機の回転ロック装置によれば、ロックプレート２を受け入れる溝部１１と、ピストン２０を収める円柱状中空部１２とが一つの筐体１０に形成され、この筐体１０にピストン２０を組み込めば油圧シリンダーを構成することができる。ピストン２０には円柱状中空部１２の断面積分の油圧を負荷可能であるので、回転ロックのために必要な力から計算される油圧シリンダーの内径は、円柱状中空部１２の内径と等しくなり、杭圧入引抜機１００の回転ロック装置１０７のコンパクト化を図ることができる。
また、昇降部１０３に締結固定され溝部１１が形成された筐体とは別部品としてのシリンダー部品が不要となり、部品点数減による製造コストの低下を図ることができる。
【００１６】
なお、以上の実施形態においては、把持装置１を支持部に、ロックプレートを回転部に固定したが、逆に把持装置１を回転部に、ロックプレートを支持部に固定しても実施可能である。
また、以上の実施形態においては、溝部１１の上下の双方に進退動作するピストン２０を配置したが、溝部１１の上方又は下方のみに進退動作するピストン２０を配置しても実施可能である。その場合、例えば、図５に示すように固定プレート１４をピストン１２に対向配置して筐体１０に固定設置した形態を実施することが好ましい。この場合、固定プレート１４を交換可能である。
【符号の説明】
【００１７】
１     把持装置
２     ロックプレート
１０   筐体
１１   溝部
１１ａ，１１ｂ溝部の側面
１２   円柱状中空部
２０   ピストン
１００ 杭圧入引抜機
１０１ スライドベース
１０２ マスト
１０３ 昇降部
１０４ 杭チャック装置
１０５ マストの回転軸
１０６ 杭チャック装置の回転軸
１０７ 回転ロック装置
【図１】
2015105498.tif 000003
【図２】
2015105498.tif 000004
【図３】
2015105498.tif 000005
【図４】
2015105498.tif 000006
【図５】
2015105498.tif 000007